(57)【要約】      （修正有）【課題】ノイズを低減することのできる撮像装置を提供する。【解決手段】光電変換素子１１、フローティングディフュージョン１６、第１転送部１２、読み出し部１５、メモリ１８、第２転送部１７とをそれぞれが備えた複数の画素部１０と、１つの第１配線ＳＬに読み出された第１信号から高周波成分を除去した第２信号を生成し１つの第１配線に出力する第１フィルタ回路２０と、第１信号と第２信号との差分信号を求め、差分信号の反転信号である高周波成分の逆相電圧を１つの第１配線にそれぞれが出力する複数の第１差動増幅回路３０１と、各第１差動増幅回路から出力された逆相電圧を複数の画素部のうちの１つの画素部のメモリにフィードバックするフィードバック回路４０とを備える。【選択図】図１
2017050762.tif 000002
【特許請求の範囲】
【請求項１】
複数の第１配線と、
光電変換素子と、フローティングディフュージョンと、前記光電変換素子からの信号を前記フローティングディフュージョンに転送する第１転送部と、前記フローティングディフュージョンの信号を前記複数の第１配線のうちの１つの第１配線に読み出す読み出し部と、メモリと、前記メモリに記憶された前記信号を前記フローティングディフュージョンに転送する第２転送部と、をそれぞれが備えた複数の画素部と、
前記１つの第１配線に読み出された第１信号から高周波成分を除去した第２信号を生成し、前記１つの第１配線に出力する第１フィルタ回路と、
前記第１信号と前記第２信号との差分信号を求め、前記差分信号の反転信号である前記高周波成分の逆相電圧を前記１つの第１配線にそれぞれが出力する複数の第１差動増幅回路と、
各第１差動増幅回路から出力された逆相電圧を前記複数の画素部のうちの１つの画素部の前記メモリにフィードバックするフィードバック回路と、
を備えた撮像装置。
【請求項２】
前記第１フィルタ回路は、前記複数の第１配線を連結するアナログスイッチである請求項１記載の撮像装置。
【請求項３】
前記フィードバック回路は、複数のスイッチを有し、各スイッチは、一端が前記複数の第１差動増幅回路のうちの１つの第１差動増幅回路の出力端子に接続され、他端が前記１つの画素部のメモリに接続される請求項１または２記載の撮像装置。
【請求項４】
複数の第１配線と、
光電変換素子と、フローティングディフュージョンと、前記光電変換素子からの信号を前記フローティングディフュージョンに転送する第１転送部と、前記フローティングディフュージョンの信号を前記複数の第１配線のうちの１つの第１配線に読み出す読み出し部と、メモリと、前記メモリに記憶された信号を前記フローティングディフュージョンに転送する第２転送部と、をそれぞれが備えた複数の画素部と、
前記１つの第１配線から読み出された第１信号を第１配線毎にデジタル信号に変換するＡＤ変換回路と、
前記ＡＤ変換回路によって変換されたデジタル信号を第１配線毎に記憶するラインメモリと、
前記ラインメモリに記憶されたデジタル信号から低周波成分を除去し、前記複数の画素部のうちの１つの画素部の前記メモリに出力する第２フィルタと、
を備えた撮像装置。
【請求項５】
前記１つの第１配線に接続された画素部の前記光電変換素子からの信号と、前記メモリに記憶された信号とを加算し、この加算された信号と、基準信号との差を増幅する、複数の第２差動増幅回路を更に備えた請求項１乃至４のいずれかに記載の撮像装置。
【請求項６】
各第１差動増幅回路は、正側端子および負側端子を有する第１差動増幅器と、前記１つの第１配線に一端が接続され、前記第１差動増幅器の前記負側端子に他端が接続された第１キャパシタと、前記第１差動増幅器の出力端子に一端が接続され、前記負側端子に他端が接続された第２キャパシタと、前記第１差動増幅器の出力端子に一端が接続され、前記負側端子に他端が接続された第１フィードバックスイッチと、を備えている請求項１乃至５のいずれかに記載の撮像装置。
【請求項７】
各第２差動増幅回路は、正側端子および負側端子を有する第２差動増幅器と、前記１つの第１配線に一端が接続され、前記第２差動増幅器の前記負側端子に他端が接続された第３キャパシタと、前記第２差動増幅器の出力端子に一端が接続され、前記負側端子に他端が接続された第４キャパシタと、前記差動増幅器の出力端子に一端が接続され、前記負側端子に他端が接続された第２フィードバックスイッチと、を備えている請求項５記載の撮像装置。
【請求項８】
前記メモリは、キャパシタであり、
前記第１転送部は、ソースが前記光電変換素子の出力端子に接続され、ドレインが前記フローティングディフュージョンに接続され、ゲートが前記複数の画素部を選択する選択線に接続された第１トランジスタであり、
前記読み出し部は、ソースフォロワ回路である
前記第２転送部は、ドレインが前記メモリに接続され、ソースが前記フローティングディフュージョンに接続され、ゲートにリセット信号を受ける第２トランジスタである
請求項１乃至７のいずれかに記載の撮像装置。
【請求項９】
前記光電変換素子は、フォトダイオードである請求項１乃至８のいずれかに記載の撮像装置。
【発明の詳細な説明】
【技術分野】
【０００１】
本発明の実施形態は、撮像装置に関する。
【背景技術】
【０００２】
撮像装置としてＣＭＯＳイメージセンサが知られている。このＣＭＯＳイメージセンサは、マトリクス状に配置された画素を有し、各画素内のフォトダイオードが入射光を信号電荷に変換し、この信号電荷の量に応じた電圧値を出力する。
【０００３】
しかしながら、画素においては、受光とは無関係な暗電流が主にフォトダイオードにおいて発生する。暗電流の発生により、画素において検知できる光量のダイナミックレンジが狭くなるほか、暗電流の画素間のばらつきがイメージセンサ全体の画質を損なう。
【０００４】
暗電流に起因するオフセット値を補正する技術が知られている。この技術は、蓄積時間を変更させた際に暗電流が蓄積時間に比例して変化することを利用して、補正信号を作製するというものである。
【０００５】
しかしながら、上記技術においては、補正信号は全画素共通の値として、全列のＡＤＣに入力されるため、暗電流の画素間のばらつきを補正することができず、このバラツキに起因するノイズを低減することができない。
【先行技術文献】
【特許文献】
【０００６】
【特許文献１】特願２０１０−１５４３９６号公報
【発明の概要】
【発明が解決しようとする課題】
【０００７】
本実施形態は、ノイズを低減することのできる撮像装置を提供する。
【課題を解決するための手段】
【０００８】
本実施形態による撮像装置は、複数の第１配線と、光電変換素子と、フローティングディフュージョンと、前記光電変換素子からの信号を前記フローティングディフュージョンに転送する第１転送部と、前記フローティングディフュージョンの信号を前記複数の第１配線のうちの１つの第１配線に読み出す読み出し部と、メモリと、前記メモリに記憶された前記信号を前記フローティングディフュージョンに転送する第２転送部と、をそれぞれが備えた複数の画素部と、前記１つの第１配線に読み出された第１信号から高周波成分を除去した第２信号を生成し、前記１つの第１配線に出力する第１フィルタ回路と、前記第１信号と前記第２信号との差分信号を求め、前記差分信号の反転信号である前記高周波成分の逆相電圧を前記１つの第１配線にそれぞれが出力する複数の第１差動増幅回路と、各第１差動増幅回路から出力された逆相電圧を前記複数の画素部のうちの１つの画素部の前記メモリにフィードバックするフィードバック回路と、を備えている。
【図面の簡単な説明】
【０００９】
【図１】第１実施形態による撮像装置を示す回路図。
【図２】第１実施形態の撮像装置の動作を説明する波形図。
【図３】第２実施形態による撮像装置を示す回路図。
【発明を実施するための形態】
【００１０】
以下、図面を参照して実施形態について説明する。
【００１１】
（第１実施形態）
第１実施形態による撮像装置の回路図を図１に示す。この第１実施形態の撮像装置１は、アレイ状（図１では、１行×２列）に配置された画素部１０１、１０２と、ローパスフィルタ２０と、差動増幅回路３０１、３０２と、フィードバック回路４０と、差動増幅回路５０１、５０２と、負荷トランジスタ６０１、６０２と、信号線ＳＬ１，ＳＬ２と、を備えている。なお、図１では、画素部は１行×２列に配列されているが、ｍ行×ｎ列に配置してもよい。ここで、ｍ、ｎは自然数を表す。
【００１２】
各画素部１０ｉ（ｉ＝１，２）は、受光した光を電気信号に変換する光電変換素子１１と、転送トランジスタ１２と、リセットトランジスタ１３と、増幅トランジスタ１４と、選択トランジスタ１５と、フローティングディフュージョン（ＦＤとも云う）１６と、メモリ選択トランジスタ１７と、キャパシタからなる画素メモリ１８と、メモリ入力トランジスタ１９と、を備えている。本実施形態においては、光電変換素子１１として例えばフォトダイオードまたは有機光電変換膜が用いことができる。以下の説明では、光電変換素子１１としてフォトダイオードを用いた場合を例にとって説明する。
【００１３】
ダイオード１１のカソードが転送トランジスタ１２のソースに接続される。転送トランジスタ１２のドレインがフローティングディフュージョン１６に接続され、ゲートが図示しない行選択線に接続される。この行選択線は、同一の行に配列された画素部を選択するための配線である。リセットトランジスタ１３は、ソースがフローティングディフュージョン１６に接続され、ドレインが電源Ｖｄｄに接続され、ゲートにリセット信号を受ける。増幅トランジスタ１４は、ドレインが電源Ｖｄｄに接続され、ゲートがフローティングディフュージョン１６に接続され、ソースが選択トランジスタ１５のドレインに接続される。選択トランジスタ１５は、ゲートが図示しない列選択線に接続され、ソースが対応する信号線ＳＬｉ（ｉ＝１，２）に接続される。列選択線は、同一の列に配置された画素部を選択するための配線である。すなわち、フォトダイオード１１、転送トランジスタ１２、リセットトランジスタ１３、増幅トランジスタ１４、選択トランジスタ１５、およびフローティングディフュージョン１６は、リセット及びアンプ機能を備えた画素部である。
【００１４】
本実施形態に係る各画素部１０ｉ（ｉ＝１，２）は、通常のリセット及びアンプ機能の他に、メモリ機能を備えた構成を有している。このメモリ機能は、メモリ選択トランジスタ１７と、画素メモリ１８と、メモリ入力トランジスタ１９とによって実現される。メモリ選択トランジスタ１７は、ソースがフローティングディフュージョン１６に接続され、ドレインが画素メモリ（キャパシタ）１８の一端に接続され、ゲートにリセット信号を受ける。メモリ入力トランジスタ１９は、ソースが画素メモリ（キャパシタ）１８の一端およびメモリ選択トランジスタ１７のドレインに接続され、ドレインがフィードバック回路４０に接続され、ゲートに書き込み信号を受ける。
【００１５】
一般に、フォトダイオードには入射光に無関係な暗電流が常時発生しており、その量はフォトダイオード毎に異なっている。暗電流のばらつきは、時間経過とともに変化しないため、固定パターンのノイズとして顕在化する。固定パターンのノイズは、特に低照度撮像条件において、著しく画質を劣化させる。
【００１６】
一方、画素部に結像される入射像の空間周波数特性と、上記固定パターンのノイズの空間周波数特性は異なっており、固定パターンのノイズの方が高周波成分を多く含んでいる。これは、入射像が一定のぼけを含んでいてかつ複数の画素部にまたがっているが、画素ごとの暗電流は互いに無相関であるためである。
【００１７】
そこで、本実施形態では、この特性を利用し、固定パターンのノイズの高周波成分を抽出する。これをローパスフィルタ２０において行う。
【００１８】
ローパスフィルタ２０は、直列に接続された複数のトランジスタ２１１〜２１３を備えている。これらの複数のトランジスタ２１１〜２１３においては、各ゲートは共通に接続され、制御信号が与えられる。隣接する２つのトランジスタ間の接続ノード（ソースおよびドレイン）には、１つの信号線が接続される。例えば、トランジスタ２１１とトランジスタ２１２との間の接続ノードには信号線ＳＬ１が接続され、トランジスタ２１２とトランジスタ２１３との間の接続ノードには信号線ＳＬ２が接続される。すなわち、このローパスフィルタ２０は、信号線ＳＬ１、ＳＬ２を連結するアナログスイッチである。
【００１９】
このローパスフィルタ２０においては、信号線ＳＬ１、ＳＬ２を介して得られた、複数の画素部からの出力信号を連結し、空間解像度を落とした信号を差動回路３０１、３０２に出力する。すなわち、ローパスフィルタ２０からは、各画素部１０ｉ（ｉ＝１，２）から信号線に読み出された信号が平均化された信号、すなわち高周波成分が平均化された信号が出力される。
【００２０】
差動増幅回路３０ｉ（ｉ＝１，２）は、信号線ＳＬｉに対応して設けられ、差動増幅器３１と、キャパシタ３２と、キャパシタ３３と、フィードバックスイッチ３５と、を備えている。差動増幅器３１の負側入力端子と出力端子との間にキャパシタ３２とフィードバックスイッチ３５が並列に接続されている。キャパシタ３３の一端が対応する信号線に接続され、他端が差動増幅器３１の負側入力端子に接続される。
【００２１】
フィードバック回路４０は、画素部の各列に対応して設けられたスイッチ４１１，４１２を備えている。各スイッチ４１ｉ（ｉ＝１，２）は、一端が対応する差動増幅回路３０ｉの差動増幅器３１の出力端子に接続され、他端が対応する画素部１０ｉのメモリ入力トランジスタ１９のドレインに接続される。
【００２２】
差動増幅回路５０ｉ（ｉ＝１，２）は、信号線ＳＬｉに対応して設けられ、キャパシタ５１と、差動増幅器５２と、キャパシタ５３と、フィードバックスイッチ５４と、を備えている。差動増幅器５２の負側入力端子と出力端子との間にキャパシタ５３とフィードバックスイッチ５４が並列に接続されている。キャパシタ５１の一端が対応する信号線に接続され、他端が差動増幅器５２の負側入力端子に接続される。この差動増幅回路５０ｉ（ｉ＝１，２）は、差動クランプ回路を構成し、対応する信号線に接続された画素部から出力される信号をホールドし、上記対応する信号線に接続された画素部を選択した際に、差分信号を増幅する。
【００２３】
（読み出し動作）
次に、本実施形態の撮像装置の読み出し動作について説明する。
【００２４】
フォトダイオード１１によって撮像装置に入射された光が検出される。入射した光は、フォトダイオード１１によって信号電荷に変換され、この信号電荷が所定の時間、フォトダイオード１１において、蓄積される。信号電荷が蓄積される間、転送トランジスタ１２はオフとなっている。画素部が接続されている行選択線が選択されると、転送トランジスタ１２がオンとなって、フォトダイオード１１に蓄積された信号電荷がフローティングディフュージョン１６に転送される。フローティングディフュージョン１６は、蓄積された信号電荷に応じた信号電位となる。
【００２５】
上述したように、信号線ＳＬｉ（ｉ＝１，２）に読み出された信号電荷は、固定パターンのノイズを含んでいる。この固定パターンのノイズは高周波成分を多く含んでいる。
【００２６】
そこで、本実施形態の撮像装置では、通常の読み出し動作を行う前に、上記高周波成分を除去するための予備の読み出し動作を行う。この予備の読み出し動作は以下のように行われる。
【００２７】
まず、各画素部１０ｉ（ｉ＝１，２）のフォトダイオード１１に蓄積された信号電荷を対応する信号線ＳＬｉに読み出す。各信号線ＳＬｉ（ｉ＝１，２）に読み出された信号電荷は、ローパスフィルタ２０に送られ、空間解像度が落とされた信号に変換される。空間解像度が落とされた信号は対応する差動増幅回路３０ｉ（ｉ＝１，２）に送られる。差動増幅回路３０ｉ（ｉ＝１，２）において、クランプされる。
【００２８】
信号電荷と、空間解像度が落とされた信号との差分が取られ、差動増幅回路３０ｉ（ｉ＝１，２）から、上記高周波成分が出力される。差動増幅回路３０ｉ（ｉ＝１，２）は、反転増幅回路であるので、差動増幅回路３０ｉ（ｉ＝１，２）から出力される信号は、上記高周波成分の逆相信号となる。
【００２９】
この高周波成分の逆相信号は、フィードバック回路４０ｉ（ｉ＝１，２）のトランジスタ４１ｉを介して画素部１０ｉの画素メモリ１８に送られ、記憶される。すなわち、画素メモリ１８には、上記高周波成分の逆相信号が書き込まれる。
【００３０】
この予備の読み出し動作は、電子シャッタ（ＥＳ(Electronic Shutter)）動作中に行われる。ＥＳ動作は、フォトダイオード１１の露光時間を定義するために、フォトダイオード１１が信号を読み出すタイミングから一定時間遡ったタイミングにおいて、フォトダイオード１１をリセットする動作である。このＥＳ動作およびその後の通常読み出し動作について図２に示す波形図を参照して説明する。
【００３１】
フォトダイオード１１をリセットする動作の直前に、フォトダイオード１１に蓄えられている電荷を読み出す。この電荷の読み出しは、転送トランジスタ１２をオンするとともに、選択トランジスタ１５をオンにする（時刻ｔ１）。これにより、フォトダイオード１１の電荷はフローティングディフュージョン１６に送られ、この電荷は、増幅トランジスタ１４によって電圧に変換され、信号電圧が信号線ＳＬ１，ＳＬ２に読み出される。ここで、負荷トランジスタ６０１、６０２は定電流源であり、各信号線に対して１個備わっている。これらの負荷トランジスタ６０１、６０２は、画素部１０１、１０２内において、選択トランジスタ１５および増幅トランジスタ１４とともにソースフォロワ回路を構成する。
【００３２】
これと同時に、ローパスフィルタ２０のトランジスタ２１１，２１２、２１３のゲートに印加する電圧を調整して、トランジスタ２１１，２１２、２１３のオン状態を浅くする。これにより、隣り合う信号線ＳＬ１，ＳＬ２は、トランジスタ２１１，２１２、２１３のオン抵抗で連結され、これらの信号線においては、一定割合α（０＜α＜１）だけ信号が混ざり合う。説明を簡単にするため、２本の信号線ＳＬ１、ＳＬ２と、１個のトランジスタからなるローパスフィルタを考える。この場合、信号線ＳＬ１、ＳＬ２の信号電位がそれぞれＶ１、Ｖ２（Ｖ１＞Ｖ２）とすると、電圧α（Ｖ１−Ｖ２）分が混合する。これにより、信号線ＳＬ１は信号電位Ｖ１からＶ１−α（Ｖ１−Ｖ２）に、信号線ＳＬ２は信号電位Ｖ２からＶ２＋α（Ｖ１−Ｖ２）となり、互いの平均値に近づく結果となる。
【００３３】
この状態にて、差動増幅回路３０１、３０２のフィードバックスイッチ３５をオンにする。これにより、差動増幅回路３０１、３０２の入出力が短絡され、リファレンス電位Ｖｒｅｆと同電位となる。続いて、フィードバックスイッチ３５をオフすることで、信号線ＳＬ１、ＳＬ２の電位とリファレンス電位Ｖｒｅｆの関係がキャパシタ３３にクランプされる（時刻ｔ２）。続いて、ローパスフィルタ２０のトランジスタ２０１、２０２、２０３をオフするとともにフィードバックスイッチ３５をオフにする（図２の時刻ｔ２）。これにより、信号線ＳＬ１、ＳＬ２は、ローパスフィルタ２０の処理を行わない電位Ｖ１，Ｖ２にそれぞれ戻る。
【００３４】
差動増幅回路３０１は、信号線ＳＬ１の電位Ｖ１と、クランプ時の信号線ＳＬ１の電位（Ｖ１−α（Ｖ１−Ｖ２））との差を増幅して出力する。このため、差動増幅回路３０１の反転増幅ゲインをＡとすると、出力電位は、
Ｖｒｅｆ−Ａ×（Ｖ１−（Ｖ１−α（Ｖ１−Ｖ２）））
＝Ｖｒｅｆ＋Ａ×α（Ｖ２−Ｖ１）
となる。すなわち、高周波成分の逆相電圧が差動増幅回路３０１から出力される。
【００３５】
メモリ入力トランジスタ１９をオンすることで（図２の時刻ｔ２）、高周波成分の逆相電圧が画素メモリ１８に送られ、記憶される。このため、画素メモリ１８の電位は、
Ｖｒｅｆ＋Ａ×α（Ｖ２−Ｖ１）
となる。
【００３６】
フォトダイオード１１の信号電荷は、リセットトランジスタ１３をオンすることで一旦リセット（電子シャッタ）される（図２の時刻ｔ３）。
【００３７】
その後、時刻ｔ４において、リセットトランジスタ１３、および転送トランジスタ１２をオフにする。すると、フォトダイオード１１の露光が開始される。
【００３８】
フォトダイオード１１の露光が終了した後（時刻ｔ５）、通常の読み出し動作が行われる。この通常の読み出し動作は、以下のように行われる。
【００３９】
まず、フォトダイオード１１の電荷の転送前にリセットトランジスタ１３をオンすることで、フローティングディフュージョン１６の電位をリセット電位Ｖｒｄにリセットする。このとき、選択トランジスタ１５もオン状態にされる。これにより、リセット電位Ｖｒｄは信号線ＳＬ１、ＳＬ２に読み出され、差動増幅回路５０１、５０２にクランプされる。クランプはフィードバックスイッチ５４をオンすることで行われる。これにより、差動回路５２の入出力電圧がリファレンス電位Ｖｒｅｆに固定される。続いて、フィードバックスイッチ５４をオフすることで、信号線ＳＬ１、ＳＬ２の電位とリファレンス電位Ｖｒｅｆとの関係がキャパシタ５３にクランプされる。
【００４０】
次に、メモリ選択トランジスタ１７をオンすることで（時刻ｔ６）、画素メモリ１８に蓄えていた逆相電圧をフローティングディフュージョン１６に移す。ここで画素メモリ１８の容量値をＣｍ、フローティングディフュージョン１６の容量値をＣｆｄとすると、フローティングディフュージョン１６の電位は、
｛Ｃｆｄ×Ｖｒｄ＋Ｃｍ×Ｖｒｅｆ＋Ａ×α（Ｖ２−Ｖ１）｝／（Ｃｆｄ＋Ｃｍ）
となり、容量比に応じて電荷が分配される。このときのフローティングディフュージョン１６の電位を、Ｖ２−Ｖ２の関数、すなわちｆ（Ｖ２−Ｖ１）と表す。
【００４１】
次に、転送トランジスタ１２をオンし（時刻ｔ７）、フォトダイオード１１からの電荷をフローティングディフュージョン１６に転送する。この際、フローティングディフュージョン１６に反映されている上記逆相信号と、フォトダイオード１１からの信号が加算され、フォトダイオード１１の信号のうち、隣接画素と著しく異なる成分だけが相殺される。例えば、信号線ＳＬ１の電位Ｖ１が異常信号、信号線ＳＬ２に電位Ｖ２が正常信号に近い電圧であったとすると、相殺結果は、
Ｖ１＋ｆ（Ｖ２−Ｖ１）
となる。
【００４２】
以上説明したように、本実施形態によれば、画素ごとの暗電流ばらつきに起因するノイズを低減することができる。
【００４３】
（第２実施形態）
第２実施形態による撮像装置を図３に示す。この第２実施形態の撮像装置１Ａは、図１に示す第１実施形態の撮像装置１において、ローパスフィルタ２０、差動増幅回路３０１、３０２、およびフィードバック回路４０の代わりにデジタル信号処理回路７０を設けるとともに、ＡＤ変換回路８０を新たに設けた構成を有している。
【００４４】
差動増幅回路５０１，５０２を経過した各列の画素部からの信号は、ＡＤ変換回路８０においてデジタル値に変換され、デジタル信号処理回路７０に入力される。デジタル信号処理回路７０は、ラインメモリ７１と、ハイパスフィルタ７２と、を備えている。ラインメモリ７１は複数行の画素部のデジタル信号値を保持することができる。例えば１行分のラインメモリ７１に１行分のデジタル信号値を保持しておき、次に入力された１行を加えた２行の情報を用いて、ハイパスフィルタ７２において、上下左右の画素信号値を比較してハイパス処理を行うことができる。ハイパス処理結果は第１実施形態と同様に逆相信号として画素メモリ１８に書き込まれる。書き込みのタイミングは、通常の読み出し期間より前であればよい。
【００４５】
この第２実施形態も、第１実施形態と同様に、画素ごとの暗電流ばらつきに起因するノイズを低減することができる。
【００４６】
本発明のいくつかの実施形態を説明したが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００４７】
１、１Ａ  撮像装置
１０１，１０２  画素部
１１  フォトダイオード
１２  転送トランジスタ
１３  リセットトランジスタ
１４  増幅トランジスタ
１５  選択トランジスタ
１６  フローティングディフュージョン
１７  メモリ選択トランジスタ
１８  画素メモリ
１９  メモリ入力トランジスタ
２０  ローパスフィルタ
２１１，２１２，２１３  トランジスタ
３０１、３０２  差動増幅回路
３１  差動増幅器
３２、３３  キャパシタ
３５  フィードバックスイッチ
４０  フィードバック回路
４１１、４１２  フィードバックスイッチ
５０１、５０２  差動増幅回路
５１  キャパシタ
５２  差動増幅器
５３  キャパシタ
５４  フィードバックスイッチ
６０１、６０２  負荷トランジスタ
７０  デジタル信号処理回路
７１  ラインメモリ
７２  ハイパスフィルタ
８０  ＡＤ変換回路
【図１】
2017050762.tif 000003
【図２】
2017050762.tif 000004
【図３】
2017050762.tif 000005